(57)【特許請求の範囲】
【請求項１】
バーナへの燃料ガス供給路に、点火時に対応してバーナへの燃料ガス供給量を増減してバーナ炎による衣服の袖への引火又は火傷等の事故を防止するガス制御手段を備え、
点火時は予め決められた点火可能な中火程度のガス量に絞り、点火後は強火のガス量にゆっくりと増量することを特徴とする加熱調理器。
【請求項２】
バーナへの燃料ガス供給路に、使用中の鍋の載せ降ろしの使用状態の変化に対応してバーナへの燃料ガス供給量を増減してバーナ炎による衣服の袖への引火又は火傷等の事故を防止するガス制御手段を備え、
使用中における鍋の移動、除去時は予め決められた弱火程度のガス量にすばやく絞り、鍋を載せた時は強火のガス量にゆっくりと増量することを特徴とする加熱調理器。
【請求項３】
予め決められたガス量に絞る流量制限孔と発条による一定の押動力でスロータイミングのもとに移動してガス量をゆっくり増量するニードル弁とを備え、上記ニードル弁の移動を液体ダンパーにてスロータイミングとした請求項１又は２に記載の加熱調理器。
【請求項４】
バーナへの燃料ガス供給路に、点火時又は使用中の鍋の載せ降ろし等の使用状態の変化に対応してバーナへの燃料ガス供給量を増減してバーナ炎による衣服の袖への引火又は火傷等の事故を防止するガス制御手段を備え、
該ガス制御手段は予め決められたガス量に絞る流量制限孔と発条による一定の押動力でスロータイミングのもとに移動してガス量をゆっくり増量するニードル弁とを備え、上記ニードル弁の移動を液体ダンパーにてスロータイミングとしたことを特徴とする加熱調理器。
【請求項５】
熱膨張率の小さい液体を封入した液体ダンパーである請求項３又は４記載の加熱調理器。
【発明の詳細な説明】
【０００１】
【発明の属する技術分野】
この発明はガスこんろ等の加熱調理器に関し、詳しくは加熱調理器の使用にあたり、バーナ炎による衣服の袖への引火又は火傷等の事故を防止する加熱調理器に関する。
【０００２】
【従来の技術】
最近のガスこんろ等の加熱調理器においては、インプットが大きくなっており、たとえば、回転コック式点滅器のものでは、点火時には必ず強火になって点火する構造となっており、また、加熱調理器の使用中に（こんろに火をつけたままで、以下同じ）こんろ上の鍋を移動したり、除去してもバーナの火力には何の関係もない構造となっている。
【０００３】
【発明が解決しようとする課題】
しかしながら、従来の加熱調理器では点火時に大きな火炎となるため、バーナ炎による衣服の袖への引火又は火傷等の不慮の事故が起きており、また、使用中に鍋を移動したり、除去するときも同様にバーナ炎による衣服の袖への引火又は火傷等の不慮の事故が起きていた。これらの事故は、特に、強火力のバーナを備えた加熱調理器において顕著であった。
【０００４】
この発明の加熱調理器は上記課題を解決し、加熱調理器の使用にあたり、バーナ炎による衣服の袖への引火又は火傷等の不慮の事故を未然に防止して安全に使用できる加熱調理器の提供を目的としている。
【０００５】
【課題を解決するための手段】
上記課題を解決するこの発明の第１の加熱調理器は、バーナへの燃料ガス供給路に、点火時に対応してバーナへの燃料ガス供給量を増減してバーナ炎による衣服の袖への引火又は火傷等の事故を防止するガス制御手段を備え、点火時は予め決められた点火可能な中火程度のガス量に絞り、点火後は強火のガス量にゆっくりと増量することを特徴とする。
上記構成を有するこの発明の第１の加熱調理器は、点火時にはバーナへの燃料ガス供給量が増減制御されてバーナ炎を安全な中火又は弱火程度の火炎とするほか、ゆっくりと強火にする。この結果、点火時とか使用中の鍋の載せ降ろし時には衣服の袖に引火したり、火傷等のおそれのない安全な火炎を形成する。
【０００６】
そして、この発明の第１の加熱調理器は、点火時にはバーナへの供給ガス量が点火可能な中火程度のガス量に絞られるから、点火時の火炎は中火程度の火炎となり、また、点火後はゆっくりと強火のガス量に増量されるから、点火後の火炎はゆっくりと大きくなる。この結果、点火時又は点火後のバーナ炎は衣服の袖に引火したり、バーナ炎による火傷等のおそれのない安全な火炎を形成する。
【０００７】
この発明の第２の加熱調理器は、バーナへの燃料ガス供給路に、使用中の鍋の載せ降ろしの使用状態の変化に対応してバーナへの燃料ガス供給量を増減してバーナ炎による衣服の袖への引火又は火傷等の事故を防止するガス制御手段を備え、使用中における鍋の移動、除去時は予め決められた弱火程度のガス量にすばやく絞り、鍋を載せた時は強火のガス量にゆっくりと増量することを特徴とする。
上記構成を有するこの発明の第２の加熱調理器は、使用中にこんろ上の鍋を移動させたり、除去した時は、バーナへの供給ガス量が弱火程度のガス量にすばやく絞られるので、使用中に鍋を移動したり、除去すると、火炎はすばやく弱火程度の大きさとなり、また、鍋をこんろ上に載せた時は、ゆっくりと強火のガス量に増量されるので、鍋を載せた後の火炎はゆっくりと大きくなる。この結果、使用中の鍋の載せ降ろし時のバーナ炎は衣服の袖に引火したり、バーナ炎による火傷等のおそれのない安全な火炎を形成する。
【０００８】
この発明の第３の加熱調理器は、上記第１又は第２の加熱調理器におけるガス制御手段が、予め決められたガス量に絞る流量制限孔と発条による一定の押動力でスロータイミングのもとに移動してガス量をゆっくり増量するニードル弁とを備え、上記ニードル弁の移動を液体ダンパーにてスロータイミングとした構成であることを特徴とする。
上記構成を有するこの発明の第３の加熱調理器は、点火時とか使用中に鍋を移動したり、除去した時は流量制限孔によりバーナ炎は衣服の袖に引火したり、バーナ炎による火傷等のおそれのない安全な火炎を形成し、その後、ニードル弁が発条による一定の押動力でスロータイミングのもとに移動するから、点火後又は使用中に鍋を再び載せた際のバーナへの供給ガス量の増量をゆっくりと行う。この結果、点火時とか使用中に鍋を移動したり、除去した時又は点火後とか使用中に鍋を再び載せた時のバーナ炎は衣服の袖に引火したり、バーナ炎による火傷等のおそれのない安全な火炎を形成する。
【０００９】
この発明の第４の加熱調理器は、バーナへの燃料ガス供給路に、点火時又は使用中の鍋の載せ降ろし等の使用状態の変化に対応してバーナへの燃料ガス供給量を増減してバーナ炎による衣服の袖への引火又は火傷等の事故を防止するガス制御手段を備え、該ガス制御手段は予め決められたガス量に絞る流量制限孔と発条による一定の押動力でスロータイミングのもとに移動してガス量をゆっくり増量するニードル弁とを備え、上記ニードル弁の移動を液体ダンパーによりスロータイミングとしたことを特徴とする。
上記構成を有するこの発明の第４の加熱調理器は、一定の押動力によるニードル弁の移動が液体ダンパーによる抑制力でゆっくりとなる。この結果、点火後又は使用中に鍋を載せた際のバーナへの供給ガス量の増量がゆっくりとなり、バーナ炎もゆっくりと大きくなる。
【００１０】
この発明の第５の加熱調理器は、上記第３又は第４の加熱調理器におけるガス制御手段の液体ダンパーにおいて、熱膨張率の小さい液体を封入したことを特徴とする。
上記構成を有するこの発明の第５の加熱調理器は、熱膨張率の小さい液体をダンパーにしているから、一定の押動力によるニードル弁のスロータイミングでの移動が常に正確に行いうる。この結果、点火後又は使用中に鍋を載せた時のバーナへの供給ガス量の増量がゆっくりと適正に行われる。
【００１１】
【発明の実施の形態】
この発明の加熱調理器では、たとえば、回転コック式点滅装置を備えたガスこんろ等の加熱調理器において、バーナへの燃料ガス供給路に、予め決められた一定のガス量に絞るオリフィス孔を有するニードル弁が発条のバネ力による一定の押動力で開方向に移動するとき、ニードル弁の移動が液体ダンパーにより抑制されてスロータイミングで移動しニードル弁の開度を徐々に拡げ、発条のバネ力による一定の押動力が解除されると、ニードル弁は閉方向にすばやく移動してバーナへの供給ガス量を増減制御するガス制御装置を備え、該ガス制御装置をコック軸と連動するカムにより作動する構造として、点火時はオリフィス孔により予め決められた点火可能な中火程度のガス量に絞り、点火後はニードル弁のスロータイミングでの移動により強火のガス量へ徐々に増量して点火時又は点火後のバーナ炎による衣服の袖への引火事故を防ぐようにしている。
【００１２】
また、たとえば、プッシュ、プッシュ式点滅装置を備えたガスこんろ等の加熱調理器において、上記ガス制御装置をこんろ上に鍋があるか否かにより作動する構造として、使用中にこんろ上の鍋を移動したり、除去した時はオリフィス孔により予め決められた弱火程度のガス量にすばやく絞り、鍋を再び載せた時はニードル弁のスロータイミングでの移動により強火のガス量へ徐々に増量して鍋の載せ降ろしの際のバーナ炎による衣服の袖への引火事故を防ぐようにしている。
【００１３】
以上この発明の実施の形態の一例について説明したが、この発明はこうした実施の形態に何ら限定されるものではなく、この発明の要旨を逸脱しない範囲において様々な形態で実施しうること勿論である。
【００１４】
以上説明したこの発明の構成、実施の形態を一層明確にするために、この発明の加熱調理器を具体的に示した実施例について図面を参照して以下に説明する。
【００１５】
【実施例】
図１〜図３に示した実施例は回転コック式点滅装置を備えたガスこんろに適用したものであって、この回転コック式点滅装置Ｅを備えたガスこんろは、点火時に点火ツマミ１を押すと、マグネット弁２、パイロット弁３が押し開かれ、その後、点火ツマミ１を押したまま「開」の位置まで回すと、コック４が開の状態となりパイロットバーナ５、メインバーナ６にガスが供給され、同時に圧電器７が作動してパイロットバーナ５に点火しメインバーナ６に火移りする。その後、点火ツマミ１を離すと、点火ツマミ１は元の位置に後退しパイロット弁３は閉じパイロットバーナ５は消火するが、マグネット弁２は熱電対８によりバーナ炎ｆを感知して電磁石９により開の状態に吸着保持されるからメインバーナ６は燃焼を継続する。
【００１６】
消火時は点火ツマミ１を「止」の位置まで回すと、コック４によりガス通路が閉じられメインバーナ６は消火し、メインバーナ６の消火を熱電対８が感知してマグネット弁２も閉じる。なお、メインバーナ６の火力調節は点火後点火ツマミ１を左右に回転することによりコック４でメインバーナ６への供給ガス量を増減してメインバーナ６の火力を変化させる。上記ガスこんろにおいて、５ａはパイロットノズル、６ａはバーナ本体、６ｂはバーナヘッド、６ｃはメインノズル、７ａは圧電素子、７ｂはハンマー、１０はガス入口、１１はこんろの受皿である。
【００１７】
上記回転コック式点滅装置Ｅを備えたガスこんろにおいて、メインバーナ６へのガス通路１２に、点火時においてメインバーナ６へのガス供給量を増減変化するガス制御装置Ｇを備え、このガス制御装置Ｇは上記点火ツマミ１と一体のコック軸に回転方向にのみ固定的に備えられた作動用カム１４により上記点滅装置Ｅと連動して作動するように設けられている。
【００１８】
上記作動用カム１４はカムの高さとコック回転角との関係が、たとえば、図２に示されているように、カムの高さとコックの開度とがＡ→Ｂ→Ｃ→Ｄの関係に構成されており、この間に後述のガス制御装置Ｇを点火時に作動用カム１４で作動する。
【００１９】
上記ガス制御装置Ｇは、コック４の出口からメインノズル６ｃに至るガス供給路１２に備えられ、たとえば、図３に示されている構造となっている。
【００２０】
上記ガス制御装置Ｇは、上記回転コック式点滅装置Ｅのガス供給路１２における上記コック４の出口側通路１２ａに接続されるガス流入管１５とガス流入孔１６を介して連通する上部弁室１７と、上記メインノズル６ｃに通ずるガス通路１２ｂに接続されるガス流出管１８とガス流出孔１９を介して連通する下部弁室２０とを中央の弁シート２１を挟んで上下に有し、上部弁室１７の上部に筒状部２２を連設するとともに、下部弁室２０の下部には筒部２３と調圧室２４とをスロータイミング調節孔２５を有する仕切壁２６を挟んで上下に連設し、後述するニードル弁の下端面と仕切壁２６との間の筒部２３に液体封入室３４を形成する構造の弁筐Ｆを設ける。
【００２１】
上記弁筐Ｆの上下の弁室１７、２０にはニードル弁Ｖが上下摺動自由に装備され、ニードル弁Ｖが上下動することによりその斜状弁部２７と弁シート２１との間の開度が広狭に調節されるようになっており、また、このニードル弁Ｖには予め決められた中火程度のガス量に絞って流量制限するオリフィス孔２９を備えて、ニードル弁Ｖが図示上限位置にある全閉時はガス流入管１５からガス流入孔１６を経て上部弁室１７に流入したガスはニードル弁Ｖの流入孔２８から中央縦孔２８ａを経てオリフィス孔２９で中火程度のガス量に絞られてガス流出孔１９からガス流出管１８に流れるようになっている。
【００２２】
そして、上記ニードル弁Ｖの上部に摺動筒体３０を一体に備え、この摺動筒体３０内に押動軸３１の基端側を挿入し、この押動軸３１を摺動筒体３０内に装着された所定のバネ力をもった第１バネ３２で上方に付勢して摺動筒体３０と押動軸３１とを同一軸線を保って連設し、上記摺動筒体３０は弁筐Ｆの上部弁室１７と一体の筒状部２２に摺動自由に挿入され、押動軸３１の先端部は筒状部２２の上部を貫挿して上方に突出させ、この押動軸３１の先端部は上記コック軸１３に備えられた作動用カム１４に当接されている。
【００２３】
上記ニードル弁Ｖの下部には摺動軸部３３が延設され、この摺動軸部３３は弁筐Ｆの筒部２３にＯリング３４を介在して気密に挿入され、この摺動軸部３３の下端面と仕切壁２６との間に液体封入室３５を形成し、この液体封入室３５に熱膨張率の小さい液体（たとえば、シリコンオイル）３６を封入し、さらに、調圧室２４には調圧弁３７をＯリング３８を介在して気密に装備し、この調圧弁３７を所定のバネ力をもった第２バネ３９で上方に付勢して構成された液体ダンパーＨを備えた構造となっている。
【００２４】
上記構成において、この発明の加熱調理器を回転コック式点滅装置を備えたガスこんろに適用した場合の具体的な作用を図３を参照しながら以下に説明する。
【００２５】
点火操作にあたり、点火ツマミ１を一定のストロークだけ押して後「開」の位置まで回すと、メインバーナ６に点火されるが、このとき、コック軸１３に回転方向にのみ固定的に備えられている作動用カム１４も回転して、先ず、その斜状カム面Ａ→Ｂ間でガス制御装置Ｇの押動軸３１を所定のストローク（ａ→ｂ）押し下げ、押動軸３１で第１バネ３２を圧縮する。この時点ではニードル弁Ｖは液体ダンパーＨの抑制力に規制されてすぐには動かずニードル弁Ｖの開度は全閉の状態にある（図３のＡの状態からＢの状態参照）。したがって、カム面がＡ→Ｂに至った時点ではコック４の開度は中火となっているもののコック４は引き続き回転する。しかし、ガス入口からコック４の出口側通路１２ａを経てガス流入管１５に至るガスはガス流入孔１６→上部弁室１７→ニードル弁Ｖの流入孔２８→中央縦孔２８ａの経路をたどりオリフィス孔２９によってそのガス量を点火可能な中火程度のガス量に絞って下部弁室２０からガス流出孔１９→ガス流出管１８→ガス通路１２ｂを経てメインノズル６ｃからメインバーナ６に供給されるため、メインバーナ６には中火程度のガス量で点火される。
【００２６】
その後、作動用カム１４のカム面がＢ→Ｃ→Ｄに至る間に押動軸３１で圧縮されている第１バネ３２のバネ力による一定の押動力でニードル弁Ｖは押し下げられるが、このとき、液体ダンパーＨによる抑制力でニードル弁Ｖの下降はゆっくりとなる。すなわち、第１バネ３２のバネ力による一定の押動力でニードル弁Ｖが押し下げられると、その押し下げ力で液体封入室３５に封入されている熱膨張率の小さい液体３６は仕切壁２６のスロータイミング調節孔２５から調圧室２４内に流れ込み調圧弁を第２バネ３９に抗して押し下げる。したがって、第１バネ３２による一定の押動力は液体ダンパーＨによって抑制されるため、第１バネ３２のバネ力によるニードル弁Ｖの押し下げスピードはゆっくりとなり、ニードル弁Ｖの斜状弁部２７と弁シート２１との間の開度は徐々に広くなる（図３のＣの状態からＤの状態参照）。そこで、ニードル弁閉止時のオリフィス孔２９による中火程度のガス量で点火された後は、中火程度のガス量にニードル弁Ｖの開度が徐々に広がることによるガス量がスロータイミングのもとに増量されて加わり遂にはコック４の全開と併せて強火のガス量に達し、メインバーナ６は中火燃焼から強火燃焼に移行する。
【００２７】
消火操作にあたり、点火ツマミ１を「止」の位置まで回すと、コック軸１３とともに作動用カム１４も回転してそのカム面がＤ→Ｃ→Ｂ→Ａと変位するので、押動軸３１による押し下げ力は解かれる。したがって、押動軸３１は第２バネ３９のバネ力で液体ダンパーＨを介してニードル弁Ｖとともに上昇し元の位置（図３のＡ参照）に戻り、次の点火動作に備える。
【００２８】
次に、図４及び図５に示した実施例はプッシュ、プッシュ式点滅装置を備えたガスこんろにおいて、使用中の鍋の載せ降ろし等の使用状態の変化によりガス制御装置Ｇが作動して安全を期す構造としたものであって、プッシュ、プッシュ式点滅器を備えたガスこんろは、点火時に点火ボタン１０１をいっぱい押すと、メイン弁１０２、マグネット弁１０３が同時に開き、マイクロスイッチＳがＯＮしてイグナイター（図示せず）が作動してメインバーナ１０４に着火する。熱電対１０５がバーナ炎ｆを検知するとマグネット弁１０３が電磁石１０６′により開の状態に吸着保持される。その後、点火ボタン１０１を離すと、点火ボタン１０１は僅かに戻ってロックされ、メイン弁１０２、マグネット弁１０３は開状態にあり、メインバーナ１０４は燃焼を継続する。
【００２９】
消火時は点火ボタン１０１を再度押すと、ロックが外れて元の位置に戻り、メイン弁１０２は閉じメインバーナ１０４は消火する。メインバーナ１０４の消火を熱電対１０５が感知するとマグネット弁１０３も閉じる。なお、メインバーナ１０４の火力調節は火力調節レバー１０６を左右に動かすと、ニードル弁１０７が移動してメインバーナ１０４への供給ガス量を調節し、最小ガス量はニードル弁１０７に設けたバイパス孔１０８にて確保され、かつ、火力調節レバー１０６が「弱」の状態で点火操作したときは戻しレバー１０９が火力調節レバー１０６を「中」の位置に動かし「中」の火力で点火するようになっている。上記ガスこんろにおいて、１１０はメインバーナ１０４のバーナ本体、１１１はバーナヘッド、１１２はこんろの五徳、１１３はメインノズル、１１４はガス入口、１１５は鍋である。
【００３０】
上記プッシュ、プッシュ式点滅装置を備えたガスこんろにおいて、ガス制御装置Ｇはメインバーナ１０４のバーナヘッド部の中央二次空気孔１１６内に設置され、その押動軸３１は五徳１１２の上に鍋１１５を載せ降ろしすることにより、その鍋底による押し下げ及び押し下げの解除で一定のストロークだけ上下動するように配設され、かつ、点滅器１１７からのガス通路１１８にガス流入管１５を接続するとともに、メインノズル１１３へのガス通路１１９にはガス流出管１８を接続している。なお、上記ガス制御装置Ｇの構造は、ニードル弁Ｖに設けられているガスの流量を予め決められた流量に制限するオリフィス孔２９が弱火程度のガス量に絞る開口面積となっている以外は、先の実施例のガス制御装置とその他の構造は同一であるので、同一部分に同一符号を付してその説明は省略する。
【００３１】
上記構成において、この発明の加熱調理器をプッシュ、プッシュ式点滅装置を備えたガスこんろに適用した場合の具体的な作用を図５を参照しながら以下に説明する。
【００３２】
五徳１１２上に鍋１１５を載せ強火の火力でこんろを使用している時は、ガス制御装置Ｇの押動軸３１は鍋１１５の底面で一定のストローク（ａ→ｂ）だけ押し下げられてニードル弁Ｖの開度は図５に示されているように全開となっている。
【００３３】
そこで、こんろに火をつけたままで五徳１１２上の鍋１１５をこんろ上から移動させたり、除去した時は、ガス制御装置Ｇの押動軸３１の鍋底による押下げが解かれるため、押動軸３１は第２バネ３９のバネ力で液体ダンパーＨを介してニードル弁Ｖとともにすばやく上昇して元の位置（図５のＡの状態参照）に戻るので、ニードル弁Ｖの開度は全閉となり、オリフィス孔２９からの弱火程度のガス量だけでメインバーナ１０４は燃焼する。したがって、メインバーナ１０４は弱火程度の火力となる。
【００３４】
鍋１１５を再び五徳１１２上に載せると、鍋１１５の底面でガス制御装置Ｇの押動軸３１は一定のストローク（ａ→ｂ）だけ押し下げられ、押動軸３１で第１バネ３２を圧縮する。この時点ではニードル弁Ｖは液体ダンパーＨの抑制力に規制されてすぐには動かず、ニードル弁Ｖの開度は全閉の状態にある（図５のＡの状態からＢの状態参照）。したがって、メインバーナ１０４は五徳１１２上に鍋１１５を載せた当初は弱火程度の火力で燃焼する。
【００３５】
すなわち、ガス入口１１４からのガスは点滅器１１７のガス通路１１８からガス流入管１５を経てガス制御装置Ｇに至り、ガス流入孔１６→上部弁室１７→ニードル弁Ｖの流入孔２８→中央縦孔２８ａの経路をたどりオリフィス孔２９によってそのガス量を弱火程度のガス量に絞って下部弁室２０からガス流出孔１９→ガス流出管１８→ガス通路１１９を経てメインノズル１１３からメインバーナ１０４に供給されるため、メインバーナ１０４はこんろ上に鍋１１５を載せた当初は弱火程度の火力で燃焼する。
【００３６】
その後、押動軸３１で圧縮されている第１バネ３２のバネ力による一定の押動力でニードル弁Ｖは押し下げられるが、このとき、液体ダンパーＨによる抑制力でニードル弁Ｖはゆっくりと降下する。すなわち、第１バネ３２による一定の押動力でニードル弁Ｖが押動されると、液体封入室３５内の熱膨張率の小さい液体３６が仕切壁２６のスロータイミング調節孔２５から調圧室２４内に流れ込み調圧弁３７を第２バネ３９に抗して押し下げる。したがって、第１バネ３２による一定の押動力は液体ダンパーＨによって抑制されるため、第１バネ３２のバネ力によるニードル弁Ｖの押し下げスピードは液体ダンパーＨの抑制力に抗してゆっくりと行われ、ニードル弁Ｖの斜状弁部２７と弁シート２１との間の開度は徐々に広げられる（図５のＣの状態からＤの状態参照）。したがって、使用中にガスこんろの五徳１１２上に再び鍋１１５を載せると、載せた当初は弱火程度の火力であるが、その後、徐々に強火燃焼の火力になる。
【００３７】
以上説明したガス制御装置Ｇによる中火点火後ゆっくり強火になる動作と、使用中にこんろから鍋を移動したり、除去したときはすばやく弱火の火力とし鍋を再び載せた時はゆっくりと強火になる動作とは、短かい時間の連続動作で行われるから、使用上何ら問題は生じない。
【００３８】
なお、上記液体ダンパーＨによる抑制力はスロータイミング調節孔２５の開口面積で決められるが、実験の結果、８φの液体封入室３５の場合、スロータイミング調節孔２５はφ０．２５程度が適当であった。また、第１バネ３２と第２バネ３９の許容バネ力は、上記各々のガス制御が確実に行いうるバネ力に設定するものである。
【００３９】
【発明の効果】
この発明の加熱調理器は、以上説明したような形態で実施され、以下に記載されるような効果を奏する。
【００４０】
この発明の第１および第２の加熱調理器は、点火時とか使用中の鍋の載せ降ろし時には、バーナへの燃料ガス供給量を制御してバーナ炎が衣服の袖に引火したり火傷等をするのおそれのない安全な火炎にするから、使用上安全であり、特に、老人、障害者等においても常に安全に使用できる。
【００４１】
この発明の第１の加熱調理器は、点火時はバーナ炎を点火可能な中火程度の火炎とし、点火後はゆっくりと強火の火炎にするから、点火時又は点火後にバーナ炎が衣服の袖に引火したり、バーナ炎で火傷等をすることのない安全なバーナ炎が形成され、使用上安全である。
【００４２】
この発明の第２の加熱調理器は、使用中においてこんろ上から鍋を移動したり、除去したときは、弱火程度の火炎とし、鍋を再び載せた時は、弱火からゆっくりと強火の火炎にするから、こんろに火がついたままで鍋の載せ降ろしをしてもバーナ炎が衣服の袖に引火したり、バーナ炎で火傷等をすることのない安全なバーナ炎が形成され、使用上安全である。
【００４３】
この発明の第３の加熱調理器は、上記第１又は第２の加熱調理器におけるガス制御手段が、予め決められたガス量に絞る流量制限孔と発条による一定の押動力でスロータイミングのもとに移動してガス量をゆっくり増量するニードル弁とを備えたものであるから、点火時とか使用中に鍋を移動したり、除去した時は、流量制限孔によりバーナ炎は衣服の袖に引火したり、バーナ炎による火傷等のおそれのない安全な火炎を形成し、点火後又は使用中に再び鍋を載せた際にはニードルのスロータイミングによる移動でゆっくりと強火の火炎になるため、点火後又は使用中に鍋を載せた時にもバーナ炎が衣服の袖に引火したり、バーナ炎で火傷等をすることのない安全なバーナ炎が形成され、使用上安全である。
【００４４】
この発明の第４の加熱調理器は、一定の押動力によるニードル弁の移動を液体ダンパーでスロータイミングとしたから、強火への火炎形成がゆっくり行われるので安全である。
【００４５】
この発明の第５の加熱調理器は、上記第３又は第４の加熱調理器のガス制御手段における液体ダンパーに熱膨張率の小さい液体を封入したから、ニードル弁の抑制力が常にむらがなくなり、ゆっくりした強火への火炎形成が常に正確に行いうる。
【００４６】
以上説明したように、この発明の加熱調理器によれば、最近のガスこんろ等の加熱調理器ではインプットが大きくなったこともあって、加熱調理器の使用にあたり、バーナ炎による衣服の袖への引火事故又は手先の火傷事故等のような不慮の事故が多く発生していたが、このような事故が未然に防止でき常時安全に使用できる加熱調理器が提供できるものである。
【図面の簡単な説明】
【図１】この発明の加熱調理器を回転コック式点滅装置を備えたガスこんろに適用した実施例の概略構成図である。
【図２】カムの高さとコック回転角との関係を示した線図である。
【図３】ガス制御装置の作動状態を示した断面図である。
【図４】この発明の加熱調理器をプッシュ、プッシュ式点滅装置を備えたガスこんろに適用した実施例の概略構成図である。
【図５】ガス制御装置の作動状態を示した断面図である。
【符号の説明】
Ｇ…ガス制御装置、Ｖ…ニードル弁、Ｈ…液体ダンパー、１…点火ツマミ、４…コック、１４…作動カム、１１２…五徳、１１２…鍋、３１…押動軸、６、１１４…こんろバーナ。
【図１】
0003687809.tif 000002
【図２】
0003687809.tif 000003
【図３】
0003687809.tif 000004
【図４】
0003687809.tif 000005
【図５】
0003687809.tif 000006